(57)【要約】【課題】  破袋可能な容器に収容された放射能汚染物の放射能濃度に応じて適切かつ効率的に分別することにより、大量の放射能汚染物を連続的かつ確実に分別処理可能であるとともに、作業員の被ばくを確実に防止する。【解決手段】  容器に収容された放射能汚染物を搬入手段１０により処理施設に搬入し、破袋手段２０、第１の分別手段３０、改質材混合手段４０、第２の分別手段５０、第３の分別手段６０により、粒径や放射能濃度に応じた適切かつ効率的な分別を行い、各分別手段で分別した残留物を、それぞれの分別基準に基づいて搬出手段７０により処理施設から搬出して、安全基準に適合した廃棄処理を行う。【選択図】図１
2020012635.tif 000002
【特許請求の範囲】
【請求項１】
破袋可能な容器に収容された放射能汚染物を分別して処理するためのシステムであって、
容器に収容された放射能汚染物を搬入する搬入手段と、
搬入された放射能汚染物の容器を破袋して、放射能汚染物を取り出す破袋手段と、
破袋手段で破袋された放射能汚染物から、所定粒径以上の残渣と容器の残渣を分別除去する第１の分別手段と、
第１の分別手段で分別された残留物に対して、改質材を加えて均一に混合する改質材混合手段と、
改質材が混合された残留物に対して、第１の分別手段における分別粒径よりも小さな粒径を基準として、基準粒径以上の残留物と、基準粒径未満の残留物とに分別する第２の分別手段と、
第２の分別手段で分別した基準粒径未満の残留物について所定の放射能濃度を基準として、基準値以上の残留物と、基準値未満の残留物とに分別する第３の分別手段と、
前記各分別手段で分別した残留物を、それぞれの分別基準に基づいて搬出する搬出手段と、
を備えたことを特徴とする放射能汚染物の分別処理システム。
【請求項２】
前記各手段は、外部環境と遮断可能な建屋内に設置されていることを特徴とする請求項１に記載の放射能汚染物の分別処理システム。
【請求項３】
少なくとも、前記破袋手段、前記第１の分別手段、前記第２の分別手段、前記改質材混合手段、前記第３の分別手段は、放射能濃度に対する安全基準を満たした操作室内から遠隔操作及び動作監視することを特徴とする請求項１又は２に記載の放射能汚染物の分別処理システム。
【請求項４】
破袋可能な容器に収容された放射能汚染物を分別して処理するための方法であって、
容器に収容された放射能汚染物を搬入する搬入工程と、
搬入された放射能汚染物の容器を破袋して、放射能汚染物を取り出す破袋工程と、
破袋工程で破袋された放射能汚染物から、所定粒径以上の残渣と容器の残渣を分別除去する第１の分別工程と、
第１の分別工程で分別された残留物に対して、改質材を加えて均一に混合する改質材混合工程と、
改質材が混合された残留物に対して、第１の分別工程における分別粒径よりも小さな粒径を基準として、基準粒径以上の残留物と、基準粒径未満の残留物とに分別する第２の分別工程と、
第２の分別工程で分別した基準粒径未満の残留物について所定の放射能濃度を基準として、基準値以上の残留物と、基準値未満の残留物とに分別する第３の分別工程と、
前記各分別工程で分別した残留物を、それぞれの分別基準に基づいて搬出する搬出工程と、
を含むことを特徴とする放射能汚染物の分別処理方法。
【請求項５】
前記各工程は、外部環境と遮断可能な建屋内で実施されることを特徴とする請求項４に記載の放射能汚染物の分別処理方法。
【請求項６】
少なくとも、前記破袋工程、前記第１の分別工程、前記第２の分別工程、前記改質材混合工程、前記第３の分別工程は、放射能濃度に対する安全基準を満たした操作室内から機器を遠隔操作するとともに各工程における動作を監視する、
ことを特徴とする請求項４又は５に記載の放射能汚染物の分別処理方法。
【発明の詳細な説明】
【技術分野】
【０００１】
本発明は放射能汚染物の分別処理システム及び分別処理方法に関するものであり、特に、除染作業により発生し、フレキシブルコンテナバッグ等の容器に詰め込まれたた土壌、枝葉、落ち葉、石等の放射能汚染物を分別処理するためのシステム及び方法に関するものである。
【背景技術】
【０００２】
放射性物質に汚染された土壌、枝葉、落ち葉、石等は、取り除いて適切な処理をする必要がある。一般的には、放射性物質に汚染された土壌から、枝葉、落ち葉、石等を取り除いてフレキシブルコンテナバッグ等の容器に詰め込み、人体等に影響のない場所に仮保管した後、放射能濃度に応じて適切な最終処分がなされる。そこで、放射能汚染物を処理するためには、放射能汚染物の種類や放射能濃度を把握して適切に分別する必要があり、放射能汚染物を分別処理するための技術が種々提案されている（例えば、特許文献１〜３参照）。
【０００３】
特許文献１に記載された技術は、放射能汚染物を放射能濃度別に３つ以上に分別するための放射能汚染物の放射能濃度別分別装置及び方法に関するものである。この放射能濃度別分別装置は、汚染土壌（放射能汚染物）を所定量の汚染土壌ロット（ロット）に切り出すベルトフィーダー（定量切り出し部）と、汚染土壌ロットの放射能濃度を算出する放射能濃度算出部と、汚染土壌ロットを放射能濃度別に分別する分別部とを有している。
【０００４】
分別部は、投入された汚染土壌ロットを排出可能なターンシュートと、ターンシュートの回転を制御する制御部とを有している。ターンシュートは、汚染土壌ロットの放射能濃度別に設定された３つの第１〜第３停止位置に停止可能に構成されている。制御部は、投入される汚染土壌ロットの放射能濃度に対応する停止位置に停止するようにターンシュートの回転を制御可能に構成されている。
【０００５】
特許文献２に記載された技術は、放射能汚染土壌を内填したフレキシブルコンテナバッグを、作業員を必要とせずに、自動的に破袋し、破袋後のフレキシブルコンテナバッグ（破袋コンテナバッグ）と土壌とを分別するための破袋装置に関するものである。この破袋装置は、放射能汚染土壌が内填されたフレキシブルコンテナバッグの破袋および内填物と破袋コンテナとの分別を行う破袋工程で使用されるフレキシブルコンテナバッグ破袋装置である。
【０００６】
そして、フレキシブルコンテナバッグの側面下部に切れ目を形成する切断手段と、当該切れ目が形成されたフレキシブルコンテナバッグの進行方向に沿って両側に設けられ、フレキシブルコンテナバッグの側面を挟持するように設定された搬送手段とを備え、フレキシブルコンテナバッグの進行方向の下方に設けられ、内填物を回収する集積トレイを有している。
【０００７】
特許文献３に記載された技術は、汚染物質が収納された大容積の包装から、土と包装材料とを分別することにより、土を保管し、包装材料を処理あるいは処分するための分別・保管方法に関するものである。この分別保管方法は、汚染土（例えば放射能汚染土）を包装に詰め、包装とともに破袋装置に供給する。そして、包装を破袋して包装材料を土とともに破袋する。
【０００８】
次に、包装材料と土との混合物をスクリーン装置に供給してふるい分けにかけると同時に、土を包装材料から分離し、包装材料と土とをそれぞれ異なる場所に排出する。そして、包装材料を処理あるいは処分し、かつ土を保管する。
【先行技術文献】
【特許文献】
【０００９】
【特許文献１】特開２０１７−２０３７４６号公報
【特許文献２】特開２０１７−２６４１４号公報
【特許文献３】特開２０１６−１２８８０４号公報
【発明の概要】
【発明が解決しようとする課題】
【００１０】
しかし、上述した特許文献に記載された技術を含めて従来の技術では、放射能汚染物を大量に受け入れた場合に、処理設備の能力を最大限に発揮して効率的な処理を行うために更なる工夫が必要であった。
【００１１】
第一に、放射能汚染物の分別処理を円滑に実施するためには、処理施設に搬入される複数の内袋を有する大型の収容袋（フレキシブルコンテナバッグ等）を確実に破袋して、様々な性状の土壌を適切に分別するための工夫が重要である。
【００１２】
第二に、土壌貯蔵施設には、所定線量（例えば８，０００Ｂｑ／ｋｇ）以下の処理土壌を貯蔵する施設と、所定線量（例えば８，０００Ｂｑ／ｋｇ）を超過した処理土壌を貯蔵する施設とがあり、将来的に除去土壌を遠隔地に搬出したり再生利用したりすることを勘案すると、大量の処理土壌に対して、放射能濃度を連続的かつ正確に評価し分別することと、草木・根等の可燃物や石等の残渣に付着した土壌の回収率を上げることが重要である。
【００１３】
第三に、放射能汚染物を円滑に輸送して受け入れて分別を行うには、処理施設が連続的かつ確実に稼働することが要求されるため、設備の自動化を図ることが重要である。
【００１４】
第四に、放射能汚染物の中間貯蔵施設における受入・分別処理では、連続性(自動化)を確保しつつ、大量の放射能汚染物を安定して処理することが必要である。
【００１５】
第五に、分別処理施設は、所定線量（１０，０００Ｂｑ／ｋｇ）以上の高濃度の除去土壌等の処理を行うため、電離則の適用を受ける施設となる。したがって、処理施設運転時の作業員の不要な外部被ばくを防止するとともに、粉塵等による内部被ばくを防止する必要がある。
【００１６】
本発明は、上述した事情に鑑み提案されたもので、放射能汚染物を分別処理する際に、収納袋、汚染土壌、草木や根、石、土砂等を効率的に分別処理すること、放射能濃度に基づいて適切に分別処理すること、大量の放射能汚染物を連続的かつ確実に分別処理すること、作業員の被ばくを確実に防止することが可能な放射能汚染物の分別処理システム及び分別処理方法を提供することを目的とする。
【課題を解決するための手段】
【００１７】
本発明に係る放射能汚染物の分別処理システム及び分別処理方法は、上述した目的を達成するため、以下の特徴点を有している。すなわち、本発明に係る放射能汚染物の分別処理システムは、破袋可能な容器に収容された放射能汚染物を分別して処理するためのシステムであって、搬入手段と、破袋手段と、第１の分別手段と、改質材混合手段と、第２の分別手段と、第３の分別手段と、搬出手段とを備えたことを特徴とするものである。
【００１８】
搬入手段は、容器に収容された放射能汚染物を搬入するための手段である。破袋手段は、搬入された放射能汚染物の容器を破袋して、放射能汚染物を取り出すための手段である。第１の分別手段は、破袋手段で破袋された放射能汚染物から、所定粒径以上の残渣と容器の残渣を分別除去するための手段である。
【００１９】
改質材混合手段は、第１の分別手段で分別された残留物に対して、改質材を加えて均一に混合するための手段である。第２の分別手段は、改質材が混合された残留物に対して、第１の分別手段における分別粒径よりも小さな粒径を基準として、基準粒径以上の残留物と、基準粒径未満の残留物とに分別するための手段である。
【００２０】
第３の分別手段は、第２の分別手段で分別した基準粒径未満の残留物について所定の放射能濃度を基準として、基準値以上の残留物と、基準値未満の残留物とに分別すための手段である。搬出手段は、各分別手段で分別した残留物を、それぞれの分別基準に基づいて搬出するための手段である。
【００２１】
また、本発明に係る放射能汚染物の分別処理システムにおいて、各手段は、外部環境と遮断可能な建屋内に設置されていることが好ましい。
【００２２】
また、本発明に係る放射能汚染物の分別処理システムにおいて、少なくとも、破袋手段、第１の分別手段、第２の分別手段、改質材混合手段、第３の分別手段は、放射能濃度に対する安全基準を満たした操作室内から遠隔操作及び動作監視することが好ましい。
【００２３】
本発明の放射能汚染物の分別処理方法は、破袋可能な容器に収容された放射能汚染物を分別して処理するための方法に関するものであり、上述した各手段を用いて分別処理を行うことを特徴とするものである。
【００２４】
すなわち、本発明の放射能汚染物の分別処理方法は、容器に収容された放射能汚染物を搬入する搬入工程と、搬入された放射能汚染物の容器を破袋して、放射能汚染物を取り出す破袋工程と、破袋手段で破袋された放射能汚染物から、所定粒径以上の残渣と容器の残渣を分別除去する第１の分別工程と、第１の分別工程で分別された残留物に対して、改質材を加えて均一に混合する改質材混合工程と、改質材が混合された残留物に対して、第１の分別工程における分別粒径よりも小さな粒径を基準として、基準粒径以上の残留物と、基準粒径未満の残留物とに分別する第２の分別工程と、第２の分別工程で分別した基準粒径未満の残留物について所定の放射能濃度を基準として、基準値以上の残留物と、基準値未満の残留物とに分別する第３の分別工程と、各分別工程で分別した残留物を、それぞれの分別基準に基づいて搬出する搬出工程とを含むことを特徴とするものである。
【００２５】
また、本発明に係る放射能汚染物の分別処理方法において、各工程は、外部環境と遮断可能な建屋内で実施されることが好ましい。
【００２６】
また、本発明に係る放射能汚染物の分別処理方法において、少なくとも、破袋工程、第１の分別工程、第２の分別工程、改質材混合工程、第３の分別工程は、放射能濃度に対する安全基準を満たした操作室内から機器を遠隔操作するとともに各工程における動作を監視することが好ましい。
【発明の効果】
【００２７】
本発明に係る放射能汚染物の分別処理システム及び分別処理方法によれば、破袋可能な容器に収容された放射能汚染物を、粒径及び放射能濃度に応じて適切かつ効率的に分別することにより、大量の放射能汚染物を連続的かつ確実に分別処理することが可能となる。
【図面の簡単な説明】
【００２８】
【図１】本発明の実施形態に係る放射能汚染物の分別処理システムのブロック図。
【図２】本発明の実施形態に係る放射能汚染物の分別処理システムの構成を示す模式図。
【図３】本発明の実施形態に係る放射能汚染物の分別処理システムの構成を示す模式図。
【図４】放射能濃度を基準とした分別装置の模式図。
【図５】本発明の実施形態に係る放射能汚染物の分別処理方法を示すフローチャート。
【発明を実施するための形態】
【００２９】
以下、図面を参照して、本発明の実施形態に係る放射能汚染物の分別処理システム及び分別処理方法を説明する。図１〜図５は本発明の実施形態に係る放射能汚染物の分別処理システム及び分別処理方法を説明するもので、図１は分別処理システムのブロック図、図２及び図３は分別処理システムの構成を示す模式図、図４は放射能濃度を基準とした分別装置（第３の分別手段）の模式図、図５は分別処理方法を示すフローチャートである。
【００３０】
＜放射能汚染物の分別処理システム及び分別処理方法の概要＞
本発明の実施形態に係る放射能汚染物の分別処理システム及び分別処理方法は、破袋可能な容器に収容された放射能汚染物を分別処理施設に搬入して、放射能汚染物の管理基準に基づいた管理体制の下で分別するとともに、分別後の残留物をその性状に応じて適切な処理を行うためのシステム及び方法に関するものである。
【００３１】
＜放射能汚染物の分別処理システムの概略構成＞
本発明の実施形態に係る放射能汚染物の分別処理システム１００は、図１に示すように、破袋可能な容器に収容された放射能汚染物を分別して処理するための手段として、搬入手段１０と、破袋手段２０と、第１の分別手段３０と、改質材混合手段４０と、第２の分別手段５０と、第３の分別手段６０と、搬出手段７０とを備えている。そして、本発明の実施形態に係る放射能汚染物の分別処理方法は、これらの手段を用いて放射能汚染物の分別処理を行うようになっている。
【００３２】
なお、図２及び図３では各手段を１系統設けた状態を示しているが、処理する放射能汚染物の量に応じて、各手段を２系統、あるいは３系統以上設けてもよい。また、各手段において、複数の装置を並列または直列に連結して処理を行ってもよい。また、搬入工程の前段では、分別処理施設に搬入される放射能汚染物の搬入元を特定したり、搬入量を計測したりするための搬入前処理工程を実施している。また、搬出工程の後段では、分別処理施設から搬出される放射能汚染物の搬出先を特定したり、搬出量を計測したりするための搬出後処理工程を実施している。
【００３３】
＜搬入前処理工程＞
搬入前処理工程では、例えば、フレキシブルコンテナバッグ１１に収納され、ダンプトラック１２に積載して運び込まれた放射能汚染物の搬入元を特定したり、搬入量を計測したりする。具体的には、フレキシブルコンテナバッグ１１の外部に取り付けられた識別標識（バーコードタグ）等を識別標識読取手段（ハンディＰＣやスマートフォン等に内蔵されたバーコード読取機能）により読み取ることにより、放射能汚染物の搬入元や搬入量を把握することができる。放射能汚染物の搬入元や搬入量等に関するデータは、管理室等に設置された管理コンピュータシステムにより管理される。
【００３４】
＜搬出後処理工程＞
搬出後処理工程では、分別処理された収納袋の残渣、汚染土壌、草木や根、土砂等を、所定の基準（可燃物又は不燃物、放射能濃度等）に基づいて、ホイールローダ１５等の重機を用いてダンプトラック１２に積み込み、それぞれ所定の処理施設（埋め立て場所、最終貯蔵施設、焼却施設等）へ搬出する。この際、ダンプトラック１２のタイヤや車体の汚染の程度を測定し、汚染が確認された場合は洗車したり、積載物の飛散等への対策としてシート掛けを行ったりして、放射能汚染物が周辺環境に漏れ出すことを防止する。分別処理後の放射能汚染物の種別、搬出先、搬出量等に関するデータは、管理室等に設置された管理コンピュータシステムにより管理される。
【００３５】
また、搬入前処理工程から搬出後処理工程に至るまでのダンプトラック１２の運行経路では、道路面を色分けして搬入車両ルートと搬出車両ルートとを峻別できるようにし、あるいは、適宜箇所に信号機を設ける等して、円滑な搬入及び搬出操作を行えるようにしている。また、ダンプトラック１２に携帯情報端末を搭載して、当該携帯情報端末を用いて、搬入又は搬出に関する指示を行ってもよい。
【００３６】
＜搬入手段／搬入工程＞
搬入手段１０は、容器（フレキシブルコンテナバッグ１１）に収容された放射能汚染物を搬入するための手段であり、搬入工程は、容器（フレキシブルコンテナバッグ１１）に収容された放射能汚染物を搬入するための工程である。容器（フレキシブルコンテナバッグ１１）に収容された放射能汚染物は、搬入前処理工程においてダンプトラック１２から荷下ろしされたものである。
【００３７】
この搬入手段１０は、例えば、バックホー型のクレーン１３及びベルトコンベア１４により構成される。なお、放射能汚染物を収容する容器（フレキシブルコンテナバッグ１１）は、開閉部分に一組の環状操作紐が取り付けられており、バックホー型のクレーン１３により吊り下げる際には、環状操作紐にフックを引っ掛けることにより吊り下げ操作を行う。このため、環状操作紐に起立補助具を取り付けて、フックを容易に引っ掛けることができるようにすることが好ましい。また、ベルトコンベア１４上で、大型の金属類（例えば、ガスボンベ等）を検知する装置を設置してもよい。
【００３８】
＜破袋手段／破袋工程＞
破袋手段２０は、搬入された放射能汚染物の容器（フレキシブルコンテナバッグ１１）を破袋して、放射能汚染物を取り出すための手段であり、破袋手段２０は、搬入された放射能汚染物の容器（フレキシブルコンテナバッグ１１）を破袋して、放射能汚染物を取り出すための工程である。この破袋手段２０は、例えば、処理容器の中に一組の回転軸を設け、回転軸の外周に複数のせん断刃を取り付け、一組の回転軸を互いに反対方向に回転させることにより、容器（フレキシブルコンテナバッグ１１）を破袋して、内部に収容された放射能汚染物を取り出す。
【００３９】
この際、一般的な廃棄物処理施設で使用されている破袋装置と比較して、せん断刃の数を減らし、隣り合うせん断刃の間隔を広くすることが好ましい。これにより、破袋手段２０において土壌が留まらず、土壌とせん断刃の接触によりせん断刃の摩耗を低減することができる。また、破袋した容器（フレキシブルコンテナバッグ１１）が細かくなりすぎないので、後段の工程において容器（フレキシブルコンテナバッグ１１）の残渣を回収しやすくなる。また、回転軸の表面に凹凸を設けて回転軸に巻き付いた環状紐等を切断することにより、システムの安定稼働を実現することができる。
【００４０】
＜第１の分別手段／第１の分別工程＞
第１の分別手段３０は、破袋手段２０で破袋された放射能汚染物から、所定粒径以上の残渣と容器の残渣を分別除去するための手段であり、第１の分別工程は、破袋工程で破袋された放射能汚染物から、所定粒径以上の残渣と容器の残渣を分別除去するための工程である。この第１の分別手段３０は、例えば、円筒状の回転ドラム式のふるいの内壁に螺旋状の搬送突起を複数設けた装置からなる。この第１の分別手段３０では、ドラムを回転させると、搬送突起により破袋された容器と土壌等がドラムの長手方向に移動しながら、所定粒径（例えば、１００ｍｍ）以上の残渣と容器の残渣とが分別して回収される。
【００４１】
したがって、第１の分別手段３０を通過後の放射能汚染物は、所定粒径（例えば、１００ｍｍ）未満の土壌等となる。分別された所定粒径（例えば、１００ｍｍ）以上の残渣と容器の残渣は、第１の可燃物分離手段８０により可燃物と石等の残渣とに分離され、それぞれ所定の貯留場所に貯留される。
【００４２】
＜第１の可燃物分離手段＞
第１の可燃物分離手段８０は、ベルトコンベアの上方に設置された装置であり、回転軸と、回転軸の表面から突出して設けたレーキとからなる。そして、回転軸を回転させることにより、ベルトコンベア上を搬送される分別対象物である所定粒径（例えば、１００ｍｍ）以上の残渣と容器の残渣にレーキが接触して、レーキにより軽量な可燃物を引っ掛けて可燃物搬送路に移動させて、所定の貯留場所に貯留される。一方、レーキに引っ掛からなかった不燃物（石等）は、そのままベルトコンベア上を搬送されて、所定の貯留場所に貯留される。
【００４３】
＜磁性体分別手段＞
磁性体分別手段１１０は、第１の分別手段３０で分別された残留物から、磁性体を除去するための手段である。磁性体分別手段１１０は、例えば、電磁石及びその付帯装置からなり、電磁石を励磁させることにより残留物に含まれる磁性体を吸着して除去する。電磁石に付着した磁性体は、電磁石の励磁を解除することにより取り除くことができる。
【００４４】
また、第１の可燃物分離手段８０、第２の可燃物分離手段９０の後段に、同様の構成からなる磁性体を分別するための磁性体分別手段１１０を配設してもよい。
【００４５】
＜改質材混合手段／改質材混合工程＞
改質材混合手段４０は、第１の分別手段３０で分別された残留物に対して、改質材を加えて均一に混合するための手段であり、改質材混合工程は、第１の分別工程で分別された残留物に対して、改質材を加えて均一に混合するための工程である。改質材混合手段４０は、例えば、改質材を貯留する改質材タンク４１と、改質材タンク４１に貯留した改質材を送出する送出装置４２と、残留物と改質材とを混合する撹拌装置（例えば、二軸パドルミキサー）４３とからなる。また、撹拌装置４３内に圧縮空気を送気するブロアを備えていてもよい。改質材としては、例えば、石膏系改質材や高分子系改質材を用いることができる。
【００４６】
改質材混合工程では、磁性体が除去された残留物に改質材を混入して撹拌装置４３で撹拌することにより、残留物の含水比を所定値以下に低下させるとともに、土壌を解砕する。この際、連続測定が可能な水分計（例えば、マイクロ波水分計、ＲＩ水分計等）により残留物の含水比を測定して、混入する改質材の分量を調整することが好ましい。
【００４７】
＜第２の分別手段／第２の分別工程＞
第２の分別手段５０は、改質材が混合された残留物に対して、第１の分別手段３０における分別粒径よりも小さな粒径を基準として、基準粒径以上の残留物と、基準粒径未満の残留物とに分別するための手段であり、第２の分別工程は、改質材が混合された残留物に対して、第１の分別工程における分別粒径よりも小さな粒径を基準として、基準粒径以上の残留物と、基準粒径未満の残留物とに分別するための工程である。第２の分別手段５０は、例えば、メッシュ状の回転筒の内部に回転軸を配設し、回転軸の外周面に羽根状の突起を複数設け、羽根状の突起の先端部が回転筒の内周面に接触するように配設した装置である。
【００４８】
そして、回転筒を回転させながら、回転筒と反対方向に回転軸を回転させることにより、羽根状の突起と回転筒の内面との間に入り込んだ残留物が、羽根状の突起により回転筒の内周面に押し付けられる。これにより、所定の粒径（例えば、２０ｍｍ）以上の残留物は回転筒内に残留し、所定の粒径（例えば、２０ｍｍ）未満の残留物は回転筒のメッシュを通過して、残留物を分別することができる。
【００４９】
＜第２の可燃物分離手段＞
また、所定の粒径（例えば、２０ｍｍ）以上の残留物は、第２の可燃物分離手段９０により草木、根等の可燃物と、石等の不燃物とに分別する。この第２の可燃物分離手段９０は、第１の分別手段３０の後段に配設された第１の可燃物分離手段８０とほぼ同様の構成とすることができる。
【００５０】
なお、図２に示す例では、第２の分別手段５０を２系統設けているが、処理する残留物量に合わせて、第２の分別手段５０は１系統であってもよいし、３系統以上であってもよい。また、第２の分別手段５０で分別する残留物の粒径は、回転筒のメッシュの目開きを変更することにより、適宜変更することができる。
【００５１】
＜第３の分別手段／第３の分別工程＞
第３の分別手段６０は、第２の分別手段５０で分別した基準粒径未満の残留物について所定の放射能濃度を基準として、基準値以上の残留物と、基準値未満の残留物とに分別すための手段であり、第３の分別工程は、第２の分別工程で分別した基準粒径未満の残留物について所定の放射能濃度を基準として、基準値以上の残留物と、基準値未満の残留物とに分別するための工程である。
【００５２】
第３の分別手段６０は、図４に示すように、残留物を搬送するベルトコンベア６１と、ベルトコンベア６１上の残留物の厚さを規定するとともにベルトコンベア６１上で残留物を敷き均す板状の敷き均し装置６２と、残留物の放射能濃度を測定する放射線量検出装置（シンチレーション検出器）６３と、残留物を放射能濃度に応じて振り分ける振り分け装置６４と、ベルトコンベア６１上の残留物の重量を測定する重量測定装置６５を備えている。
【００５３】
第３の分別工程では、ベルトコンベア６１上を流れる残留物を敷き均し装置６２により敷き均し、放射線量検出装置（シンチレーション検出器）６３により放射線量を検出する。そして、振り分け装置６４を駆動して、基準値（例えば、８，０００Ｂｑ／ｋｇ）以上の残留物と、基準値（例えば、８，０００Ｂｑ／ｋｇ）未満の残留物とをそれぞれ別個の貯留場所に貯留する。
【００５４】
振り分け装置６４は、放射線量検出装置（シンチレーション検出器）６３で検出した放射線量の検出値に基づき動作する。ここで、残留物が放射線量検出装置（シンチレーション検出器）６３を通過してから振り分け装置６４の位置に達するまでには時間的誤差がある。したがって、残留物が放射線量検出装置（シンチレーション検出器）６３を通過してから、残留物が振り分け装置６４の位置に達するまでの時間を考慮して、振り分け装置６４を駆動する必要がある。
【００５５】
この際、基準値以上の残留物を確実に分別するため、放射線量検出装置（シンチレーション検出器）６３が基準値以上の残留物を検出した場合には、残留物が振り分け装置６４の位置に達するよりも若干早いタイミングで振り分け装置６４を駆動して、基準値以上の残留物を確実に分別する。また、放射線量検出装置（シンチレーション検出器）６３が基準値以上の残留物を検出した後に、基準値未満の残留物を検出した場合には、残留物が振り分け装置６４の位置に達するよりも若干遅いタイミングで振り分け装置６４を駆動して、基準値以上の残留物を確実に分別する。
【００５６】
＜搬出手段／搬出工程＞
搬出手段７０は、各分別手段で分別した残留物を、それぞれの分別基準に基づいて搬出するための手段であり、搬出工程は、各分別手段で分別した残留物を、それぞれの分別基準に基づいて搬出するための工程である。本発明の実施形態で分別処理した後の残留物は、石等の残渣、容器の残渣、草木・根等、低濃度土壌、高濃度土壌とに大別することができる。これらの残留物はホイールローダ１５等によりダンプトラック１２に積みこまれ、各残留物の性状に応じて、焼却処理、埋立処理、貯蔵施設での貯蔵処理等が行われる。
【００５７】
なお、本発明の実施形態で分別処理を行う際には、上述した物の他に、水、粉塵等が発生するが、これらについても、集塵装置１２０等を用いてその性状に応じて適切な処理を行う。また、各手段の間における残留物等の搬送には、ベルトコンベア（符号を付さず）を用いる。
【００５８】
＜外部環境との遮断＞
また、本発明に係る放射能汚染物の分別処理システム１００において、各手段は、外部環境と遮断可能な建屋内に設置されていることが好ましい。例えば、分別処理施設の建屋内の入口及び出口には、ダンプトラック１２の出入りに伴って開閉する二重シャッターを設置し、ダンプトラック１２の出入り時には、必ず一方のシャッターが閉じた状態として、分別処理施設を外部環境と遮断する。
【００５９】
＜遠隔操作及び動作監視＞
また、本発明に係る放射能汚染物の分別処理システム１００では、少なくとも、破袋手段２０、第１の分別手段３０、第２の分別手段５０、改質材混合手段４０、第３の分別手段６０は、放射能濃度に対する安全基準を満たした操作室内から遠隔操作及び動作監視することが好ましい。すなわち、分別処理施設の適宜箇所に監視カメラを設置するとともに、操作室内には、各手段を構成する機器類の操作装置、モニタ、計器等を設置する。
【００６０】
そして、操作室内にいるオペレータが、モニタで確認を行いながら各機器類を操作するとともに、計器の数値を監視して、各手段を構成する機器類を遠隔操作するとともに、動作の監視を行うことにより、作業員の被ばくを確実に防止することができる。
【００６１】
＜放射能汚染物の分別処理方法＞
本発明の実施形態に係る放射能汚染物の分別処理方法は、図５に示すように、容器に収容された放射能汚染物を搬入し（Ｓ１）、搬入された放射能汚染物の容器を破袋して、放射能汚染物を取り出す（Ｓ２）。
【００６２】
続いて、破袋された放射能汚染物から、所定粒径（１００ｍｍ）以上の残渣と容器の残渣を分別除去する（Ｓ３）。ここで、所定粒径（１００ｍｍ）以上の残渣と容器の残渣（Ｓ４）は、可燃物と不燃物とに分別し（Ｓ５）、それぞれの性状に応じて処理する（Ｓ６）。
【００６３】
一方、所定粒径（１００ｍｍ）未満の残留物は（Ｓ４）、磁性体を除去し（Ｓ７）、分別された残留物に対して、改質材を加えて均一に混合する（Ｓ８）。なお、磁性体を除去する工程（Ｓ７）は、磁性体を除去して後段の構成における機器の損傷等を防止するための工程であり、磁性体を含まないことが明らかな場合には省略することができる。
【００６４】
続いて、改質材が混合された残留物に対して、基準粒径（２０ｍｍ）以上の残留物と、基準粒径（２０ｍｍ）未満の残留物とに分別する（Ｓ９）。ここで、基準粒径（２０ｍｍ）以上の残留物は（Ｓ１０）、可燃物と不燃物とに分別し（Ｓ１１）、それぞれの性状に応じて処理する（Ｓ１２）。
【００６５】
一方、基準粒径（２０ｍｍ）未満の残留物は（Ｓ１０）、所定の放射能濃度（８，０００Ｂｑ／ｋｇ）を基準として、基準値以上の残留物と、基準値未満の残留物とに分別する（Ｓ１３）。ここで、所定の放射能濃度（８，０００Ｂｑ／ｋｇ）以上の残留物は（Ｓ１４）、高濃度土壌として処理する（Ｓ１５）。一方、所定の放射能濃度（８，０００Ｂｑ／ｋｇ）未満の残留物は（Ｓ１４）、低濃度土壌として処理する（Ｓ１６）。
【００６６】
また、各工程は、外部環境と遮断可能な建屋内で実施されることが好ましく、さらに、破袋工程、分別工程は、放射能濃度に対する安全基準を満たした操作室内から機器を遠隔操作するとともに各工程における動作を監視することが好ましい。
【符号の説明】
【００６７】
１０  搬入手段
１１  フレキシブルコンテナバッグ
１２  ダンプトラック
１３  クレーン
１４  ベルトコンベア
１５  ホイールローダ
２０  破袋手段
３０  第１の分別手段
４０  改質材混合手段
４１  改質材タンク
４２  送出装置
４３  撹拌装置
５０  第２の分別手段
６０  第３の分別手段
６１  ベルトコンベア
６２  敷き均し装置
６３  放射線量検出装置
６４  振り分け装置
６５  重量測定装置
７０  搬出手段
８０  第１の可燃物分離手段
９０  第２の可燃物分離手段
１００  分別処理システム
１１０  磁性体分別手段
１２０  集塵装置
【図１】
2020012635.tif 000003
【図２】
2020012635.tif 000004
【図３】
2020012635.tif 000005
【図４】
2020012635.tif 000006
【図５】
2020012635.tif 000007